【事件の表示】
　特願２０１０−２８３１０３「有機電界発光表示装置及びその駆動方法」拒絶査定不服審判事件〔平成２４年　５月１７日出願公開、特開２０１２−　９３６８８〕について、次のとおり審決する。
【結　論】
　本件審判の請求は、成り立たない。
【理　由】
第１　手続の経緯  
　  
　本願は、平成２２年１２月２０日（パリ条約による優先権主張　２０１０年１０月２８日　韓国　）に出願したものであって、平成２６年７月３０日付けの拒絶理由通知に対して平成２６年１０月２０日付けで手続補正がなされたが、平成２７年３月１７日付けで拒絶査定がなされ、これに対し、平成２７年７月２４日付けで拒絶査定不服審判が請求されるとともに手続補正がなされたものである。
　
　
第２　平成２７年７月２４日付けの手続補正についての補正却下の決定  
　  
［補正却下の決定の結論］  
　平成２７年７月２４日付けの手続補正（以下「本件補正」という。）を却下する。
　
［理由］  
　
１　本件補正  
　
　本件補正は、特許請求の範囲について、本件補正前に、
「【請求項４】
　第１フレーム期間に、非発光状態に設定された第１サブ画素にシャッタ眼鏡の右側眼鏡に対する右側データ信号に対応する電圧を充電させる段階と、
　第２フレーム期間に、前記第１サブ画素と交互に配置され、非発光状態に設定された第２サブ画素にシャッタ眼鏡の左側眼鏡に対する左側データ信号に対応する電圧を充電させる段階と
　を含み、
　前記第１フレーム期間に前記第２サブ画素が発光状態に設定され、前記第２フレーム期間に前記第１サブ画素が発光状態に設定されることを特徴とする有機電界発光表示装置の駆動方法。」
とあったところを、  
　
「【請求項４】
　
１枚の３Ｄ画像を表示する表示期間の前半の１／２期間に相当する
　
前記表示期間の後半の１／２期間に相当する
　を含み、
　前記第１フレーム期間に前記第２サブ画素が発光状態に設定され、前記第２フレーム期間に前記第１サブ画素が発光状態に設定されることを特徴とする有機電界発光表示装置の駆動方法。」
とする補正を含むものである（下線は、補正箇所を示す。）。  
　
　本件補正について検討する。  
　
　本件補正は、本件補正前の請求項１の「第１フレーム期間」について、「１枚の３Ｄ画像を表示する表示期間の前半の１／２期間に相当する」第１フレーム期間と限定し、「第２フレーム期間」について「前記表示期間の後半の１／２期間に相当する」第２フレーム期間と限定するものである。
　
　よって、本件補正は、本件補正前の請求項４に記載された発明を特定するために必要な事項を限定するものであるから、特許法第１７条の２第５項第２号に掲げる特許請求の範囲の減縮を目的とするものに該当する。
　
　そこで、本件補正後における特許請求の範囲に記載されている事項により特定される請求項４に係る発明（以下「本願補正発明」という。）が特許出願の際独立して特許を受けることができるものであるか（特許法第１７条の２第６項において準用する同法第１２６条第７項に規定する要件を満たすか）について以下に検討する。
　
　
２　引用例及びその記載事項  
　  
（１）原査定の拒絶の理由に引用され、本願の優先権主張の基礎となる出願の出願前に頒布された刊行物である特開２００８−１５８４７７号公報（平成２０年７月１０日公開、以下「引用例１」という。）には、図面とともに以下の事項が記載されている（なお、下線は当審で付した。）。　  
「【０００１】
  
本発明は、有機電界発光表示装置及びその駆動方法に関し、
インターレース方式を適用することによって、
駆動回路の速度マージン確保
「【０１６２】
  図１３を参照すれば、本発明による有機電界発光表示装置をインターレース方式で駆動する場合の構成がブロック図として示されている。
【０１６３】
  図１３に示されたように、
有機電界発光表示装置１００は走査信号駆動部１１０、データ信号駆動部１２０、発光制御信号駆動部１３０、有機電界発光表示パネル１４０（以下、パネル１４０という）
を含み得る。
【０１６４】
  
前記走査信号駆動部１１０は、多数の走査信号線Ｓ［１］…Ｓ［Ｎ］を介して前記パネル１４０に走査信号を供給することができる。
【０１６５】
  
前記データ信号駆動部１２０は、多数のデータ信号線Ｄ［１］…Ｄ［Ｍ］を介して前記パネルにデータ信号を供給することができる。
【０１６６】
  
前記発光制御信号駆動部１３０は、多数の発光制御信号ＥＭ［１］…ＥＭ［Ｎ］
を介して前記パネル１４０に発光制御信号
を順次供給することができる。
【０１６７】
  
また、前記パネル１４０は
画素回路１４２（Ｐｉｘｅｌ）を含み得る。
【０１６８】
  ここで、前記画素回路１４２（Ｐｉｘｅｌ）は走査信号線とデータ信号線によって正義される画素領域に形成できる。勿論、上述したように前記走査信号線Ｓ［１］…Ｓ［Ｎ］には前記走査信号駆動部１１０から走査信号が供給でき、前記データ信号線Ｄ［１］…Ｄ［Ｍ］には前記データ駆動部１２０からデータ信号が供給でき、前記発光制御信号線ＥＭ［１］…ＥＭ［Ｎ］、発光制御逆信号線ＥＭＢ［１］…ＥＭＢ［Ｎ］には前記発光制御信号駆動部１３０から発光制御信号、発光逆制御信号が供給されることができる。また、前記第１電源電圧供給部１５０、第２電源電圧供給部１６０、及び初期化電源電圧供給部１７０は、パネル１４０に備えられた各画素回路１４２に第１電源電圧、第２電源電圧、及び初期化電源電圧を供給する役割をする。」
「【０１７２】
  図１４を参照すれば、図５に示された画素回路をインターレース方式で駆動する場合の駆動タイミング図が示されている。図１４に示されたように本発明による有機電界発光表示装置の画素回路は第１フレーム、第２フレーム、第３フレーム、第４フレームが順次進行し、第１フレーム、第３フレーム、第５フレーム等の奇数フレームの駆動タイミング図は同じであり、第２フレーム、第４フレーム、第６フレーム等の偶数フレームの駆動タイミングも同じである。
【０１７３】
  より具体的に、
奇数フレーム期間中に奇数ラインの画素は、画素回路内の容量性素子Ｃにデータ電圧及び駆動トランジスタのしきい電圧を書き込むと同時に有機電界発光素子ＯＬＥＤに逆バイアス電圧を印加する。このような奇数フレームの間に偶数ラインの画素は発光する。
【０１７４】
  
一方、偶数フレーム期間中に奇数ラインの画素は発光し、このような偶数フレーム期間中に偶数ラインの画素は画素回路内の容量性素子Ｃにデータ電圧及び駆動トランジスタのしきい電圧を書き込むと同時に有機電界発光素子ＯＬＥＤに逆バイアス電圧を印加する。
【０１７５】
  このように奇数フレーム、偶数フレームが順次進行しながら、パネル内に奇数ラインの画素が発光する間に偶数ラインの画素はデータを書き込み、かつ、前記有機電界発光素子に逆バイアス電圧を印加し、偶数ラインの画素が発光する間に奇数ラインの画素はデータ書き込み、かつ、前記有機電界発光素子ＯＬＥＤに逆バイアス電圧を印加する。このような飛び越し走査方式（インターレース方式、Ｉｎｔｅｒｌａｃｅ）で画素回路を駆動することで、大型パネルの駆動時、駆動回路速度のマージンを確保することができる。」
ア　引用例１には、「インターレース方式を適用することによって、駆動回路の速度マージン確保する有機電界発光表示装置の駆動方法」が記載されているということができる（【０００１】）。
イ　引用例１には、「有機電界発光表示装置１００は走査信号駆動部１１０、データ信号駆動部１２０、発光制御信号駆動部１３０、有機電界発光表示パネル１４０（以下、パネル１４０という）を含」むことが記載されている（【０１６３】）。
ウ　引用例１には、「前記走査信号駆動部１１０は、多数の走査信号線Ｓ［１］…Ｓ［Ｎ］を介して前記パネル１４０に走査信号を供給すること」が記載されている（【０１６４】）。
エ　引用例１には、「前記データ信号駆動部１２０は、多数のデータ信号線Ｄ［１］…Ｄ［Ｍ］を介して前記パネルにデータ信号を供給すること」が記載されている（【０１６５】）。
オ　引用例１には、「前記発光制御信号駆動部１３０は、多数の発光制御信号線ＥＭ［１］…ＥＭ［Ｎ］を介して前記パネル１４０に発光制御信号を順次供給する」ことが記載されている（【０１６６】）。（なお、段落【０１６６】に記載の「発光制御信号ＥＭ［１］」は「発光制御信号線ＥＭ［１］」の誤記と認定した。）。
カ　引用例１の「【０１６７】また、前記パネル１４０は‥‥‥画素回路１４２（Ｐｉｘｅｌ）を含み得る。」との記載から、引用例１には、「前記パネル１４０は画素回路１４２（Ｐｉｘｅｌ）を含む」ことが記載されているということができる。
キ　引用例１には、「奇数フレーム期間中に奇数ラインの画素は、画素回路内の容量性素子Ｃにデータ電圧及び駆動トランジスタのしきい電圧を書き込むと同時に有機電界発光素子ＯＬＥＤに逆バイアス電圧を印加し、このような奇数フレームの間に偶数ラインの画素は発光し、一方、偶数フレーム期間中に奇数ラインの画素は発光し、このような偶数フレーム期間中に偶数ラインの画素は画素回路内の容量性素子Ｃにデータ電圧及び駆動トランジスタのしきい電圧を書き込むと同時に有機電界発光素子ＯＬＥＤに逆バイアス電圧を印加する」ことが記載されている（【０１７３】、【０１７４】）。
　したがって、上記引用例１に記載された事項及び上記アないしキを総合すると、引用例１には、次の事項が記載されている（以下、引用発明という。）。
「　インターレース方式を適用することによって、駆動回路の速度マージン確保する有機電界発光表示装置の駆動方法であって、
有機電界発光表示装置１００は走査信号駆動部１１０、データ信号駆動部１２０、発光制御信号駆動部１３０、有機電界発光表示パネル１４０（以下、パネル１４０という）を含み、
　前記走査信号駆動部１１０は、多数の走査信号線Ｓ［１］…Ｓ［Ｎ］を介して前記パネル１４０に走査信号を供給し、
　前記データ信号駆動部１２０は、多数のデータ信号線Ｄ［１］…Ｄ［Ｍ］を介して前記パネルにデータ信号を供給し、
　前記発光制御信号駆動部１３０は、多数の発光制御信号線ＥＭ［１］…ＥＭ［Ｎ］を介して前記パネル１４０に発光制御信号を順次供給し、
　前記パネル１４０は画素回路１４２（Ｐｉｘｅｌ）を含み、
　奇数フレーム期間中に奇数ラインの画素は、画素回路内の容量性素子Ｃにデータ電圧及び駆動トランジスタのしきい電圧を書き込むと同時に有機電界発光素子ＯＬＥＤに逆バイアス電圧を印加し、このような奇数フレームの間に偶数ラインの画素は発光し、
　一方、偶数フレーム期間中に奇数ラインの画素は発光し、このような偶数フレーム期間中に偶数ラインの画素は画素回路内の容量性素子Ｃにデータ電圧及び駆動トランジスタのしきい電圧を書き込むと同時に有機電界発光素子ＯＬＥＤに逆バイアス電圧を印加する、
　有機電界発光表示装置の駆動方法。」
（２）原査定の拒絶の理由に引用され、本願の優先権主張の基礎となる出願の出願前に頒布された刊行物である特開２００１−３２０７３４号公報（平成１３年１１月１６日公開、以下「引用例２」という。）には、図面とともに以下の事項が記載されている（なお、下線は当審で付した。）。
「【０００１】
【発明の属する技術分野】本発明は、右眼用の画像と左眼用の画像を撮影し、撮像した
画像をシャッタ眼鏡を用いて立体的に見ることができる立体画像表示装置に関する。
　
「【００４３】
インターレース方式のディスプレイ５５を用いる場合について説明する
右眼用切取画像データの水平走査線のデータが１ライン毎、例えば偶数番目のラインが間引かれた右眼用切取画像データが記録され、
左眼用切取画像データの水平走査線のデータが１ライン毎、例えば奇数番目のラインが間引かれた左眼用切取画像データが記録される。そして、
この右眼用の切取画像データを１フィールド分の画像データとしてディスプレイ５５に出力され、
この左眼用の切取画像データを次の１フィールド分の画像データとして出力される。したがって、ディスプレイ５５には、
先ず、偶数番目のラインが間引かれた画像が表示され、次いで、奇数番目のラインが間引かれた画像が表示される。
　ここで、「右眼用切取画像データの水平走査線のデータが１ライン毎、例えば偶数番目のラインが間引かれた右眼用切取画像データが記録され」ることは、右眼用切取画像データの奇数番目のラインの右眼用切取画像データが記録されるということができ、また、「左眼用切取画像データの水平走査線のデータが１ライン毎、例えば奇数番目のラインが間引かれた左眼用切取画像データが記録される」ことは、左眼用切取画像データの偶数番目のラインが記録されるということができる。また、同様に、「偶数番目のラインが間引かれた画像」、「奇数番目のラインが間引かれた画像」は、それぞれ、奇数番目のラインの画像、偶数番目のラインの画像ということができる。
　したがって、上記記載及び図９から、次の事項が記載されているということができる。
「　画像をシャッタ眼鏡を用いて立体的に見ることができる立体画像表示装置において（【０００１】）、
　インターレース方式のディスプレイ５５を用いる場合において、右眼用切取画像データの奇数番目のラインの右眼用切取画像データが記録され、左眼用切取画像データの偶数番目のラインが記録され、この右眼用の切取画像データを１フィールド分の画像データとしてディスプレイ５５に出力し、この左眼用の切取画像データを次の１フィールド分の画像データとして出力し、ディスプレイ５５には、先ず、奇数番目のラインの画像が表示され、次いで、偶数番目のラインの画像が表示される（【００４３】）、
　立体画像表示装置。」
（３）本願の優先権主張の基礎となる出願の出願前に頒布された刊行物である特開平１０−１０５７３５号公報（平成１０年４月２４日公開、以下「引用例３」という。）には、図面とともに以下の事項が記載されている（なお、下線は当審で付した。）。
「【発明の詳細な説明】
【０００１】
【発明の属する技術分野】
本発明は
画像表示システムに関する。
「【００１３】
【発明の実施の形態】以下、添付の図面を参照して本発明の好適な実施形態を説明する。
【００１４】＜第１の実施形態＞図１は第１の実施形態による画像表示システムの構成を示すブロック図である。図１に示すように、観察者１は本
画像表示システムによる立体画像を立体表示装置３によって観察する
「【００２７】フレームメモリＬ５２、Ｒ５３に格納された視差画像は、更に立体視表示を行うために合成されて、合成フレームメモリ５５に格納される。図７は第１の実施形態における視差画像の合成処理を説明する図である。本実施形態においては、立体視表示手段として前記液晶シャッタ眼鏡方式を用い、時分割立体視観察を可能としている。従って、
合成フレームメモリの奇数フィールド、偶数フィールドの一方のフィールドに右目用画像を、他方のフィールドに左目用画像を格納する。本例では、奇数フィールドに左目用画像を、偶数フィールドに右目用画像を格納するものとする。
【００２８】フレームメモリＬ５２とフレームメモリＲ５３への視差像の格納が終了したことが確認されると、制御部４はフレームメモリＬ５２の奇数フィールドの最初の１行のデータを一時メモリ５４に読み出す。そして、一時メモリ５４のデータを合成フレームメモリ５５の１行目に格納する。次にフレームメモリＬ５２の奇数フィールドの２行目（フレームメモリＬ５２の３行目）を一時メモリ５４に読み出し、これを合成フレームメモリの奇数フレームの２行目に格納する。以降、同様にフレームメモリＬ５２の奇数フィールドのデータを合成フレームメモリ５５の奇数フィールドに格納していく。フレームメモリＬ５２の奇数フィールドのデータの格納が終了すると、フレームメモリＲ５３の奇数フィールドのデータを同様な方法で合成フレームメモリ５５の偶数フィールドに格納する。
この結果、合成像は奇数フィールドに左目用画像が、偶数フィールドには右目用画像が格納された時分割立体視映像となる。
「【００３０】図９は、第１の実施形態における時分割立体視表示部３２の詳細な構成を示すブロック図である。本実施形態の立体視表示手段は、立体視映像のフィールド表示に同期した液晶シャッタ眼鏡を用いた時分割立体視表示装置である。３３はビデオモニタであり、Ｄ／Ａ変換部３１より出力された
時分割立体視映像信号をインタレース方式で表示する。観察者１はビデオモニタ３３に出力された映像を液晶シャッタ眼鏡を装着し
【００３１】液晶シャッタ眼鏡はフィールド同期回路３４、マルチプレクサ３５、液晶シャッタＬ３６、液晶シャッタＲ３７から構成されている。フィールド同期回路３４は、ＮＴＳＣ信号より抽出した垂直同期信号に基づいてフィールド同期信号を発生する。マルチプレクサ３５は、フィールド同期信号に同期して、液晶シャッタＬ３６と液晶シャッタＲ３７の開閉を制御する。即ち、
ビデオモニタ３３において時分割立体視映像の奇数フィールドが表示されている時には
観察者は左目用映像である奇数フィールドの映像を左目のみで見ることになる。また、時分割立体視映像の偶数フィールドが表示されている時には、
右目用映像である偶数フィールドの映像を右目で見ることになる。
　上記記載及び図７、図９から、次の事項が記載されているということができる。
「　立体画像を立体表示装置３によって観察する画像表示システムであって（【０００１】、【００１４】）、
　合成フレームメモリの奇数フィールド、偶数フィールドの一方のフィールドに右目用画像を、他方のフィールドに左目用画像を格納するものであって、本例では、奇数フィールドに左目用画像を、偶数フィールドに右目用画像を格納し（【００２７】）、
　この結果、合成像は奇数フィールドに左目用画像が、偶数フィールドには右目用画像が格納された時分割立体視映像となり（【００２８】）、
　時分割立体視映像信号をインタレース方式で表示し（【００３０】）、
　観察者１はビデオモニタ３３に出力された映像を液晶シャッタ眼鏡を装着し（【００３０】）、ビデオモニタ３３において時分割立体視映像の奇数フィールドが表示されている時には、観察者は左目用映像である奇数フィールドの映像を左目のみで見、時分割立体視映像の偶数フィールドが表示されている時には、右目用映像である偶数フィールドの映像を右目で見る（【００３１】）、
　画像表示システム。」
３　対比  
　  
　本願発明と引用発明とを対比する。
　  
（１）引用発明の「有機電界発光表示装置の駆動方法」は、本願補正発明の「有機電界発光表示装置の駆動方法」に相当する。
（２）
ア　引用発明は「インターレース方式を適用する」ものであって、インターレース方式は、「奇数フレーム期間」及び「偶数フレーム期間」を用いて１枚の画像を表示するものであって、引用発明の「奇数フレーム期間」及び「偶数フレーム期間」を合わせた期間は、本願補正発明の「１枚の３Ｄ画像を表示する表示期間」と、「１枚の画像を表示する表示期間」である点で共通する。
イ　また、奇数フレーム期間と偶数フレーム期間は通常同一であるから、引用発明の「奇数フレーム期間」は、本願補正発明の「表示期間の前半の１／２期間に相当する第１フレーム期間」に相当し、引用発明の「奇数ラインの画素」は本願補正発明の「第１サブ画素」に相当する。
　そして、引用発明において、「奇数フレーム期間中に奇数ラインの画素は、画素回路内の容量性素子Ｃにデータ電圧及び駆動トランジスタのしきい電圧を書き込むと同時に有機電界発光素子ＯＬＥＤに逆バイアス電圧を印加」するから、本願補正発明の「表示期間の前半の１／２期間に相当する第１フレーム期間に、非発光状態に設定された第１サブ画素にシャッタ眼鏡の右側眼鏡に対する右側データ信号に対応する電圧を充電させる段階」とは、「表示期間の前半の１／２期間に相当する第１フレーム期間に、非発光状態に設定された第１サブ画素に画像データ信号に対応する電圧を充電させる段階」を有する点で共通する。
ウ　同様に、引用発明の「偶数フレーム期間」は、本願補正発明の「前記表示期間の後半の１／２期間に相当する第２フレーム期間」に相当し、引用発明の「偶数ラインの画素」は本願補正発明の「第２サブ画素」に相当する。
　そして、引用発明において「奇数ラインの画素」と「偶数ラインの画素」は交互に配置されているということができ、ここで、「偶数ラインの画素」は、本願補正発明の「第１サブ画素と交互に配置され‥‥‥た第２サブ画素」に対応するものといえるから、引用発明において、「偶数フレーム期間中に偶数ラインの画素は画素回路内の容量性素子Ｃにデータ電圧及び駆動トランジスタのしきい電圧を書き込むと同時に有機電界発光素子ＯＬＥＤに逆バイアス電圧を印加する」段階と、本願補正発明の「前記第１サブ画素と交互に配置され、非発光状態に設定された第２サブ画素にシャッタ眼鏡の左側眼鏡に対する左側データ信号に対応する電圧を充電させる段階」とは、「前記第１サブ画素と交互に配置され、非発光状態に設定された第２サブ画素に画像データ信号に対応する電圧を充電させる段階」である点で共通する。
（３）引用発明の「奇数フレームの間」、「偶数フレーム期間中」が、それぞれ、本願補正発明の「第１フレーム期間」、「第２フレーム期間」に相当するから、引用発明の「奇数フレームの間に偶数ラインの画素は発光し、」「偶数フレーム期間中に奇数ラインの画素は発光」することは、本願補正発明の「前記第１フレーム期間に前記第２サブ画素が発光状態に設定され、前記第２フレーム期間に前記第１サブ画素が発光状態に設定される」ことに相当する。
　すると、本願発明と引用発明とは、次の＜一致点＞及び＜相違点＞を有する。  
　 
＜一致点＞  
「１枚の画像を表示する表示期間の前半の１／２期間に相当する第１フレーム期間に、非発光状態に設定された第１サブ画素に画像データ信号に対応する電圧を充電させる段階と、
　前記表示期間の後半の１／２期間に相当する第２フレーム期間に、前記第１サブ画素と交互に配置され、非発光状態に設定された第２サブ画素に画像データ信号に対応する電圧を充電させる段階と
　を含み、
　前記第１フレーム期間に前記第２サブ画素が発光状態に設定され、前記第２フレーム期間に前記第１サブ画素が発光状態に設定されることを特徴とする有機電界発光表示装置の駆動方法。」
＜相違点＞  
（ア）本願発明は、「１枚の３Ｄ画像を表示する表示期間」であるのに対し、引用発明は、このような特定がない点。
　
（イ）本願発明は、第１サブ画素に「シャッタ眼鏡の右側眼鏡に対する右側」データ信号に対応する電圧を充電させるのに対し、引用発明は、「シャッタ眼鏡の右側眼鏡に対する右側」データ信号について、特定がない点。
（ウ）本願発明は、第２サブ画素に「シャッタ眼鏡の左側眼鏡に対する左側」データ信号に対応する電圧を充電させるのに対し、引用発明は、「シャッタ眼鏡の左側眼鏡に対する左側」データ信号について、特定がない点。
４　判断  
　上記＜相違点＞をまとめて判断する。
＜相違点＞（ア）（イ）（ウ）について  
　例えば、引用例２、引用例３に記載されているように（上記２（２）、（３））、シャッタ眼鏡を用いた立体画像表示装置において、１フィールドで奇数番目のラインに右側画像を表示し、次の１フィールドで偶数番目のラインに左側画像を表示するインターレース方式の立体画像表示装置は周知である。
　そして、表示装置において、２Ｄ画像に加え３Ｄ画像を表示することは周知であるから、引用発明の、インターレース方式を適用する有機電界発光表示装置において、１フィールド（第１のフレーム）期間に、シャッタ眼鏡の右側眼鏡に対する右側データ信号の電圧を、奇数ラインの画素回路内の容量性素子Ｃに書き込み、次のフィールド（第２のフレーム）期間に、シャッタ眼鏡の左側眼鏡に対する左側データ信号の電圧を、偶数ラインの画素回路内の容量性素子Ｃに書き込むようにすることは、当業者が容易に想到し得る事項である。
　したがって、本願補正発明の＜相違点＞（ア）（イ）（ウ）に係る構成とすることは、格別なことではない。
　そして、上記相違点を総合的に判断しても、本願発明が奏する効果は引用発明及び周知な事項から当業者が十分に予測できたものであって格別なものとはいえない。  
　
　よって、本願補正発明は、引用発明及び周知な事項に基づいて当業者が容易に発明をすることができたものであるから、特許法第２９条第２項の規定により特許出願の際独立して特許を受けることができない。  
　  
　  
５　本件補正についてのむすび  
　  
　以上のとおり、本件補正は、特許法第１７条の２第６項で準用する同法第１２６条第７項の規定に違反するので、同法第１５９条第１項の規定において読み替えて準用する同法第５３条第１項の規定により却下すべきものである。  
　
　
第３　本願発明について  
　  
１　本願発明  
　  
　平成２７年７月２４日付けの手続補正は上記のとおり却下されたので、本願の請求項４に係る発明（以下「本願発明」という。）は、上記「第２［理由］１本件補正」の本件補正前の「請求項４」として記載したとおりのものである。  
　  
２　引用例  
　  
　原査定の拒絶の理由で引用された引用例及びその記載事項は、上記「第２［理由］２引用例及びその記載事項」に記載したとおりである。  
　  
３　対比・判断  
　  
　本願発明は、本願補正発明から、上記「第２［理由］１本件補正」で検討した本件補正に係る限定を削除するものである。
　そうすると、本願発明の特定事項を全て含み、更に他の特定事項を付加したものに相当する本願補正発明が前記「第２［理由］４判断」に示したとおり、引用発明及び周知な事項に基づいて、当業者が容易に発明をすることができたものであるから、本願発明も、同様の理由により、引用発明及び周知な事項に基づいて当業者が容易に発明をすることができたものである。
 　  
４　むすび  
　  
　以上のとおり、本願発明は、特許法第２９条第２項の規定により特許を受けることができないものであるから、その余の請求項に論及するまでもなく、本願は拒絶すべきものである。  
　  
　よって、結論のとおり審決する。